(57)【特許請求の範囲】
【請求項１】
フィルタ配置部と吸気出口部を有するクリーナ本体と、吸気入口部を有するとともにクリーナ本体に対して着脱可能なクリーナキャップとを備え、クリーナ本体をシリンダヘッドカバーの一側部からその外側にわたる領域の直上に位置するようにシリンダヘッドカバーに取付け、クリーナキャップがシリンダヘッドカバーの中央部から他側部にわたる領域の直上に位置するように構成したエアクリーナであって、クリーナキャップをクリーナ本体に対して水平方向に着脱可能に構成し、シリンダヘッドカバーの他側部上面に中央部側に向けて高くなる傾斜面を形成し、クリーナキャップの下部に突設した支え部材の下端部に弾性当接部を設け、クリーナキャップをクリーナ本体に装着したときに弾性当接部が傾斜面に圧接状態で係合するように構成したことを特徴とするエアクリーナ。
【請求項２】
フィルタ配置部と吸気出口部を有するクリーナ本体と、吸気入口部を有するとともにクリーナ本体に対して着脱可能なクリーナキャップとを備え、クリーナ本体をシリンダヘッドカバーの一側部からその外側にわたる領域の直上に位置するようにシリンダヘッドカバーに取付け、クリーナキャップがシリンダヘッドカバーの中央部から他側部にわたる領域の直上に位置するように構成したエアクリーナであって、エンジン本体の一側部の外側に固定支持したスロットルボディの入口部をクリーナ本体の吸気出口部に嵌合して接合し、エアクリーナの重心位置をクリーナ本体のシリンダヘッドカバーに対する取付位置の略直上に配置するとともにクリーナ本体をシリンダヘッドカバーに弾性体を介して取付けたことを特徴とするエアクリーナ。
【発明の詳細な説明】
【０００１】
【発明の属する技術分野】
本発明はエアクリーナに関し、特にシリンダヘッドカバーの直上に配置されるエアクリーナに関するものである。
【０００２】
【従来の技術】
従来、自動車エンジンのエアクリーナは、例えば実開平１−６１４５１号公報に開示されているように、エンジンルームの適所に車体側に支持させた状態で配設され、エンジン本体の吸気マニホールドに対して吸気管を介して接続されるのが一般的である。
【０００３】
しかしながら、大容量のエアクリーナを用いる場合、エンジン本体の近くに配置スペースを確保するのが困難であるという問題があり、またエンジン本体側のスロットルボディと車体側のエアクリーナを接続する配管に、エンジン本体と車体間の振動対策のための部品が必要となるとともに配管作業に多くの工数が必要になる等の問題もある。
【０００４】
そこで、図５に示すように、エンジン本体３１の上方にエアクリーナ３３を配置してシリンダヘッドカバー３２にゴムマウント３４を介して取付け、エアクリーナ３３の吸気出口部３５とスロットルボディ３６を接続したものが考えられている。
【０００５】
【発明が解決しようとする課題】
ところが、図５の構成ではシリンダヘッドカバー３２の中央部の上部をプラグ交換時の作業性を確保するために開放しておく必要があるために、シリンダヘッドカバー３２の一側部からその外側に向けて張り出すようにエアクリーナ３３を配設する必要があり、インテークマニホールド等の配置に対して制約が大きくなるという問題がある。また、エアクリーナ３３は片持ち状態で支持されており、かつエアクリーナ３３に接続される部品間の組み付け時の寸法ばらつきを吸収するとともにエアクリーナ３３の振動を吸収できるようにゴムマウント３４を介して支持されているために外からの振動伝達によって振動し易く、スロットルボディ３６とエアクリーナ３３間の接続を剛性の高い接続構造にすると、スロットルボディ３６の振動がエアクリーナ３３に伝達されて騒音を発生することになり、これを防止するためにエアクリーナ３３とスロットルボディ３６との接続手段３７にはゴムホースとホースクランプ等、防振とシール性を確保した接続構造を採用する必要があり、コスト高になるという問題がある。
【０００６】
本発明は、上記従来の問題点に鑑み、プラグ交換の作業性を確保しながらエンジン本体の直上に配設できてエンジン本体回りの省スペースを図ることができ、また低コストで簡単な接続構成でスロットルボディから振動伝達による騒音発生を防止することができるエアクリーナを提供することを目的とする。
【０００７】
【課題を解決するための手段】
本願の請求項１、２記載の発明は、フィルタ配置部と吸気出口部を有するクリーナ本体と、吸気入口部を有するとともにクリーナ本体に対して着脱可能なクリーナキャップとを備え、クリーナ本体をシリンダヘッドカバーの一側部からその外側にわたる領域の直上に位置するようにシリンダヘッドカバーに取付け、クリーナキャップがシリンダヘッドカバーの中央部から他側部にわたる領域の直上に位置するように構成したという共通の構成を有するものであり、クリーナ本体とクリーナキャップから成るエアクリーナのほぼ全体をシリンダヘッドカバーの直上に配設しているので、大容量のエアクリーナをエンジン本体の直上のスペースを有効利用して配置することができ、エンジン本体回りの省スペースを図ることができ、かつプラグの交換作業時には着脱可能なクリーナキャップをクリーナ本体から離脱させることによりシリンダヘッドカバーの中央部の上部空間を開放することができ、プラグ交換をエアクリーナを取り外すことなく、作業性良く行うことができる。
【０００８】
本願の請求項１記載の発明は、上記共通の構成に加え、クリーナキャップをクリーナ本体に対して水平方向に着脱可能に構成し、シリンダヘッドカバーの他側部上面に中央部側に向けて高くなる傾斜面を形成し、クリーナキャップの下部に突設した支え部材の下端部に弾性当接部を設け、クリーナキャップをクリーナ本体に装着したときに弾性当接部が傾斜面に圧接状態で係合するように構成したものであり、クリーナキャップをクリーナ本体に装着するだけで支え部材とその下端の弾性当接部を介してシリンダヘッドカバーの他側部上面でクリーナキャップを確実に支持できるので、クリーナ本体に対するクリーナキャップの接合構造を簡単にでき、クリーナキャップの着脱を簡単に行うことができて作業性が一層向上し、またクリーナキャップの振動を弾性当接部で抑制でき、振動防止効果を向上できる。
【０００９】
本願の請求項２記載の発明は、上記共通の構成に加え、エンジン本体の一側部の外側に固定支持したスロットルボディの入口部をクリーナ本体の吸気出口部に嵌合して接続し、エアクリーナの重心位置をクリーナ本体のシリンダヘッドカバーに対する取付位置の略直上に配置するとともにクリーナ本体をシリンダヘッドカバーに弾性体を介して取付けた構成を有するものであり、スロットルボディの入口部とクリーナ本体の吸気出口部を嵌合接続しているので、Ｏリングなどの安価なシール手段を用いた安価な構成で接続でき、かつスロットルボディとエアクリーナをかなり高い剛性をもって接続してもエアクリーナはその重心位置の直下位置で弾性体を介してシリンダヘッドカバーで支持されているので、エアクリーナの振動を効果的に防止することができ、スロットルボディからの振動伝達によって騒音を発生するのを確実に抑制することができ、さらにクリーナキャップの下部に突設した支え部材の下端部に弾性当接部を設けた構成と併用すると特に大きな効果を発揮する。
【００１０】
【発明の実施の形態】
以下、本発明のエアクリーナの一実施形態について、図１〜図４を参照して説明する。
【００１１】
図１〜図３において、１はエンジン本体であり、２はそのシリンダヘッド、３はシリンダヘッドカバーである。４は各気筒毎に配設されたプラグで、その上端部がシリンダヘッドカバー３の幅方向中央部に気筒配列方向に沿って形成された凹部３ａ内に突出されている。
【００１２】
５はシリンダヘッドカバー３の直上に配設されたエアクリーナであり、クリーナ本体６とこのクリーナ本体６に水平方向に着脱可能に装着されたクリーナキャップ７にて構成されている。クリーナ本体６は、クリーナキャップ７との接合開口部６ａに隣接して開口断面を横断するように配設されたフィルタ配置部８と、接合開口部６ａと反対側端部の下面に形成された吸気出口部９とを有している。
【００１３】
また、クリーナキャップ７はクリーナ本体６との接合開口部７ａとは反対側端部の一側に吸気入口部１０を有しており、この吸気入口部１０から流入した吸気が均等に分散してフィルタ配置部８に向けて流れるように構成されている。
【００１４】
クリーナ本体６はシリンダヘッドカバー３の一側部からその外側にわたる領域の直上に位置するように配設され、接合開口部６ａの下部両端に突設された取付脚１１がゴムマウント１２を介してシリンダヘッドカバー３の一側部上面に取付けられている。クリーナキャップ７はシリンダヘッドカバー３の中央部から他側部にわたる領域の直上に位置するように構成され、その接合開口部７ａの一端に設けられた上下一対のヒンジ１３を介してクリーナ本体６の接合開口部６ａの一端に開閉可能に支持され、かつ接合開口部７ａの他端外面に形成された係合凹部１４にクリーナ本体６の接合開口部６ａの他端に設けられた係止クリップ１５を係合させてクリーナ本体６とクリーナキャップ７を互いに接合した状態で相互に固定するように構成されている。なお、クリーナキャップ７をクリーナ本体６に対して完全に分離されるように構成してもよい。
【００１５】
また、シリンダヘッドカバー３の他側部上面に中央部側に向けて高くなる傾斜面１６が形成されており、クリーナキャップ７の下部にはこの傾斜面１６に対応する位置に支え部材１７が突設され、この支え部材１７の下端部にゴムなどから成る弾性当接部１８が装着されている。そして、クリーナキャップ７をクリーナ本体６に装着したときに弾性当接部１８が傾斜面１６に圧接状態で係合するように構成されている。
【００１６】
このエアクリーナ５の吸気出口部９は、図４に示すように、エンジン本体１の一側部の外側に固定支持されたスロットルボディ２０の入口部２１に嵌合して接続され、かつそれらの内外周面に介装されたＯリング１９にて互いにシール状態で接続されている。また、図４に示すように、エアクリーナ５の重心位置５ａはクリーナ本体６のシリンダヘッドカバー３に対する取付位置、即ちゴムマウント１２の略直上に配置されている。図４において、２２はスロットルボディ２０の出口部に接続されたインテークマニホールド、２３はその集合管部、２４は分岐管である。２５はスロットルボディ２０をシリンダヘッド２に連結固定する固定ブラケット、２６はインテークマニホールド２２をエンジン本体１の適所に連結固定する連結ブラケットである。
【００１７】
以上の構成においては、クリーナ本体６とクリーナキャップ７から成るエアクリーナ５のほぼ全体をシリンダヘッドカバー３の直上に配設しているので、大容量のエアクリーナ５をエンジン本体１の直上のスペースを有効利用して配置することができ、エンジン本体回りの省スペースを図ることができる。しかも、プラグ４の交換作業時には、図２に仮想線で示すように着脱可能なクリーナキャップ７をクリーナ本体６から離脱させることによりシリンダヘッドカバー３の中央部の上部空間を開放することができ、プラグ４の交換をクリーナ本体６をを取り外すことなく、作業性良く行うことができる。
【００１８】
また、クリーナキャップ７をクリーナ本体６に装着した状態で、クリーナキャップ７の他側部が支え部材１７下端の弾性当接部１８を介してシリンダヘッドカバー３の他側部上面で確実に支持されているので、クリーナ本体６に対するクリーナキャップ７の接合構造を簡単にしてクリーナキャップ７の着脱を簡単に行うことができ、プラグ交換の作業性が一層向上する。また、クリーナキャップ７の振動が弾性当接部１８で抑制されるので、エアクリーナ５の振動防止効果を向上できる。
【００１９】
また、スロットルボディ２０の入口部２１とクリーナ本体６の吸気出口部９を嵌合させて安価なＯリング１９をシール手段として用いているので、両者を安価な構成で接続でき、しかもその結果スロットルボディ２０とクリーナ本体６がかなり高い剛性を持って接続されていてもエアクリーナ５の重心位置５ａの直下位置をゴムマウント１２を介してシリンダヘッドカバー３で支持し、さらにクリーナキャップ７の他側部を弾性当接部１８を介してシリンダヘッドカバー３で支持しているので、エアクリーナ５の振動を効果的に防止することができ、スロットルボディ２０からの振動伝達によって騒音を発生するのを確実に抑制することができる。
【００２０】
【発明の効果】
本願の請求項１、２記載の発明は、以上のようにフィルタ配置部と吸気出口部を有するクリーナ本体と、吸気入口部を有するとともにクリーナ本体に対して着脱可能なクリーナキャップとを備え、クリーナ本体をシリンダヘッドカバーの一側部からその外側にわたる領域の直上に位置するようにシリンダヘッドカバーに取付け、クリーナキャップがシリンダヘッドカバーの中央部から他側部にわたる領域の直上に位置するように構成したものであり、クリーナ本体とクリーナキャップから成るエアクリーナのほぼ全体をシリンダヘッドカバーの直上に配設しているので、大容量のエアクリーナをエンジン本体の直上のスペースを有効利用して配置することができ、エンジン本体回りの省スペースを図ることができ、かつプラグの交換作業時には着脱可能なクリーナキャップをクリーナ本体から離脱させることによりシリンダヘッドカバーの中央部の上部空間を開放することができ、プラグ交換をエアクリーナを取り外すことなく、作業性良く行うことができる。
【００２１】
また本願の請求項１記載の発明は、クリーナキャップをクリーナ本体に対して水平方向に着脱可能に構成し、シリンダヘッドカバーの他側部上面に中央部側に向けて高くなる傾斜面を形成し、クリーナキャップの下部に突設した支え部材の下端部に弾性当接部を設け、クリーナキャップをクリーナ本体に装着したときに弾性当接部が傾斜面に圧接状態で係合するように構成したものであり、クリーナキャップをクリーナ本体に装着するだけで支え部材とその下端の弾性当接部を介してシリンダヘッドカバーの他側部上面でクリーナキャップを確実に支持できるので、クリーナ本体に対するクリーナキャップの接合構造を簡単にでき、クリーナキャップの着脱を簡単に行うことができて作業性が一層向上し、またクリーナキャップの振動を弾性当接部で抑制でき、振動防止効果を向上できる。
【００２２】
また本願の請求項２記載の発明は、エンジン本体の一側部の外側に固定支持したスロットルボディの入口部をクリーナ本体の吸気出口部に嵌合して接続し、エアクリーナの重心位置をクリーナ本体のシリンダヘッドカバーに対する取付位置の略直上に配置するとともにクリーナ本体をシリンダヘッドカバーに弾性体を介して取付けた構成を有するものであり、スロットルボディの入口部とクリーナ本体の吸気出口部を嵌合接続しているので、Ｏリングなどの安価なシール手段を用いた安価な構成で接続でき、かつスロットルボディとエアクリーナをかなり高い剛性をもって接続してもエアクリーナはその重心位置の直下位置で弾性体を介してシリンダヘッドカバーで支持されているので、エアクリーナの振動を効果的に防止することができ、スロットルボディからの振動伝達によって騒音を発生するのを確実に抑制することができ、さらにクリーナキャップの下部に突設した支え部材の下端部に弾性当接部を設けた構成と併用すると特に大きな効果を発揮する。
【図面の簡単な説明】
【図１】本発明の一実施形態のエアクリーナの部分断面正面図である。
【図２】同実施形態のエアクリーナの部分断面平面図である。
【図３】同実施形態のエアクリーナの斜視図である。
【図４】同実施形態のエアクリーナを用いた吸気装置の全体正面図である。
【図５】従来におけるエンジン本体上部にエアクリーナを配置した構成例の斜視図である。
【符号の説明】
１  エンジン本体
３  シリンダヘッドカバー
４  プラグ
５  エアクリーナ
６  クリーナ本体
７  クリーナキャップ
８  フィルタ配置部
９  吸気出口部
１０  吸気入口部
１１  取付脚
１２  ゴムマウント
１６  傾斜面
１７  支え部材
１８  弾性当接部
２０  スロットルボディ
２１  入口部
【図１】
0003558817.tif 000002
【図２】
0003558817.tif 000003
【図３】
0003558817.tif 000004
【図４】
0003558817.tif 000005
【図５】
0003558817.tif 000006